(57)【特許請求の範囲】
【請求項１】
内筒部の先端を外筒部の開口内に軸線の延在方向に差し込んで連結させるための連結構造を有する筆記具において、
前記外筒部の内壁面には、前記軸線の延在方向に延びて第１の凸状リブと、前記第１の凸状リブと前記開口との間に形成された第１の係止凸部とが設けられ、
前記内筒部の外壁面には、前記内筒部の前記先端から前記軸線の延在方向に延びて前記第１の凸状リブと嵌合する第１の凹溝と、前記第１の係止凸部に対して乗り越え嵌合する第２の係止凸部とが設けられ、
前記外筒部の前記内壁面には、複数個の前記第１の凸状リブと、前記軸線の延在方向に延びる第２の凹溝とが形成され、前記内筒部の前記外壁面には、複数個の前記第１の凹溝と、前記軸線の延在方向に延びて前記第２の凹溝に嵌合する第２の凸状リブとが形成されていることを特徴とする筆記具。
【請求項２】
内筒部の先端を外筒部の開口内に軸線の延在方向に差し込んで連結させるための連結構造を有する筆記具において、
前記外筒部の内壁面には、前記軸線の延在方向に延びて第１の凸状リブと、前記第１の凸状リブと前記開口との間に形成された第１の係止凸部とが設けられ、
前記内筒部の外壁面には、前記内筒部の前記先端から前記軸線の延在方向に延びて前記第１の凸状リブと嵌合する第１の凹溝と、前記第１の係止凸部に対して乗り越え嵌合する第２の係止凸部とが設けられ、
前記外筒部の前記内壁面には、複数個の前記第１の凸状リブと、前記軸線の延在方向に延びる第２の凹溝とが形成され、前記内筒部の前記外壁面には、複数個の前記第１の凹溝と、前記軸線の延在方向に延びて前記第２の凹溝に嵌合する第２の凸状リブとが形成され、
前記外筒部には、この先端から前記軸線の延在方向に延びるスリットが形成され、前記内筒部の前記外壁面には、前記スリット内に差し込まれるガイドリブが形成されていることを特徴とする筆記具。
【請求項３】
内筒部の先端を外筒部の開口内に軸線の延在方向に差し込んで連結させるための連結構造を有する筆記具において、
前記外筒部の内壁面には、前記軸線の延在方向に延びて第１の凸状リブと、前記第１の凸状リブと前記開口との間に形成された第１の係止凸部とが設けられ、
前記内筒部の外壁面には、前記内筒部の前記先端から前記軸線の延在方向に延びて前記第１の凸状リブと嵌合する第１の凹溝と、前記第１の係止凸部に対して乗り越え嵌合する第２の係止凸部とが設けられ、
前記外筒部には、この先端から前記軸線の延在方向に延びるスリットが形成され、前記内筒部の前記外壁面には、前記スリット内に差し込まれるガイドリブが形成されていることを特徴とする筆記具。
【発明の詳細な説明】
【技術分野】
【０００１】
本発明は、外筒部と内筒部との連結構造を具備した筆記具に関するものである。
【背景技術】
【０００２】
従来において、筆記具に利用される連結構造は、ねじ込み式のものが一般的であるが、実用新案登録第３１３２１３３号公報に開示された連結構造もある。この公報に記載された連結構造において、外部材の内面には、外部材(外筒部)の内面で軸線の延在方向に延びてガイド溝を形成するためのリブ(第１の凸状リブ)と、リブの後部に対応する位置に設けられた係合突起(第１の係止凸部)とが形成されている。これに対し、内部材の外面には、リブ間の隙間に挿入可能なガイド凸部と、係合突起が嵌り込むための凹部を形成する阻止凸部とが設けられている。このような連結構造にあっては、外部材内に内部材の先端を挿入させた後、内部材の先端をリブの端部に突き当てた状態で、内部材を回転させながら、リブ間のガイド溝とガイド凸部との位置合わせを行う。位置が合った状態で、内部材を軸線方向に差し込んで、阻止凸部間の凹部内に外部材の係合突起を嵌め込むことにより、内部材の回り止めと抜け止めとが達成される。
【０００３】
【特許文献１】実用新案登録第３１３２１３３号
【特許文献２】実公平６−１５７４８号公報
【発明の開示】
【発明が解決しようとする課題】
【０００４】
前述した従来の筆記具の連結構造においては、外部材と内部材を連結させるにあたって、内部材を回転させながら、リブ間のガイド溝とガイド凸部との位置合わせを行う必要がある。内部材を回す際の安定性や作業のし易さを配慮すると、リブの端部と外部材の挿入口との距離を長くする必要がある。そして、外部材の内面に形成されたリブや係合突起は、外部材と内部材との間で起こるガタ付きを確実に防止するために、寸法検査が必要であり、特に、抜け防止に関与している係合突起の寸法検査は重要である。しかしながら、係合突起が、リブの後部側に位置しているので、リブの端部と外部材の挿入口との距離が長いと、リブの端部より更に奥側にある係合突起の寸法検査が難しくなり、場合によっては寸法検査できない虞もある。
【０００５】
本発明は、外筒部の内壁面に設けられた係止凸部の寸法検査を容易かつ確実に行うことができるようにした筆記具を提供することを目的とする。
【課題を解決するための手段】
【０００６】
本発明に係る筆記具は、内筒部の先端を外筒部の開口内に軸線の延在方向に差し込んで連結させるための連結構造を有する筆記具において、
外筒部の内壁面には、軸線の延在方向に延びて第１の凸状リブと、第１の凸状リブと開口との間に形成された第１の係止凸部とが設けられ、内筒部の外壁面には、内筒部の先端から軸線の延在方向に延びて第１の凸状リブと嵌合する第１の凹溝と、第１の係止凸部に対して乗り越え嵌合する第２の係止凸部とが設けられたことを特徴とする。
【０００７】
この筆記具では、外筒部に内筒部を組み付けるにあたって、外筒部の開口から差し込まれた内筒部の先端は、第１の係止凸部を越えて第１の凸状リブの端面に当接させられる。その後、内筒部を回しながら、第１の凸状リブと第１の凹溝との位置合わせを行って、位置合わせが完了した状態で内筒部を押し込む。その時、内筒部の第２の係止凸部が外筒部の第１の係止凸部を乗り越えることで、内筒部の抜け止めが達成される。このような組立てが行われる筆記具において、第１の係止凸部が第１の凸状リブと開口との間に配置されているので、第１の凸状リブと開口との距離を長くすることができ、これによって、内筒部を外筒部内で回す際の安定性や作業のし易さが担保される。さらに、第１の係止凸部が外筒部の開口近くに配置されるので、第１の係止凸部の寸法検査を容易かつ確実に行うことができ、第１の係止凸部の寸法管理が確実になされる結果として、筆記具の使用時に外筒部から内筒部が不用意に抜け落ちるような事態が発生しない。
【０００８】
また、外筒部の内壁面には、複数個の第１の凸状リブと、軸線の延在方向に延びる第２の凹溝とが形成され、内筒部の外壁面には、複数個の第１の凹溝と、軸線の延在方向に延びて第２の凹溝に嵌合する第２の凸状リブとが形成されていると好適である。
内筒部の肉厚の関係上、第１の凹溝の深さを大きくすることができず、これに伴って外筒部の第１の凸状リブの突出量を大きくすることができない。このような状況下では、第１の凸状リブを押し潰すように、作業者が無理に内筒部を外筒部内に押し込む事態が起こり得る。そこで、本発明では、第１の凸状リブが押し潰され難くするために、第１の凸状リブ及び第１の凹溝を複数個形成している。さらに、外筒部に対しては第２の凹溝を、内筒部に対しては第２の凸状リブを別途形成することで、第１の凸状リブと第２の凹溝とを周方向に均等に配置させることができ、第２の凸状リブと第２の凹溝とを周方向に均等に配置させることができる。
【０００９】
また、外筒部には、この先端から軸線の延在方向に延びるスリットが形成され、内筒部の外壁面には、スリット内に差し込まれるガイドリブが形成されていると好適である。
このような構成を採用することによって、スリットとガイドリブとを目視によって位置合わせすることで、第１の凸状リブと第１の凹溝との位置合わせが、作業者の勘に頼らずに達成され、作業性の向上を図ることができる。
【発明の効果】
【００１０】
本発明によれば、外筒部の内壁面に設けられた係止凸部の寸法検査を容易かつ確実に行うことができる。
【発明を実施するための最良の形態】
【００１１】
以下、図面を参照しつつ本発明に係る筆記具の好適な実施形態について詳細に説明する。なお、ペン先側を「前方側」として以下説明する。
【００１２】
図１に示すように、回転式多芯筆記具１は、樹脂製の前軸２ａと樹脂製の後軸２ｂとからなる軸筒２を有し、前軸２ａには、表面をメッキ処理した略円錐状の先口部材１９が装着され、後軸２ｂにはクリップ２ｃが一体に形成され、前軸２ａと後軸２ｂとは相対的に回転する。さらに、軸筒２の前軸２ａの外周には、弾性体からなる筒状のグリップ部３が装着されている。このグリップ部３は、弾性変形し易い軟質材(例えば熱可塑性エラストマー(ＴＰＥ))からなり、二色成形によって、前軸２ａとグリップ部３は一体的に形成されている。
【００１３】
軸筒２内には、２本のボールペン型リフィール（例えば、赤、黒のインクが入ったリフィール）４ａとシャープペンシル型リフィール４ｂとが収容されている。各リフィール４ａ，４ｂは、軸筒２内に収容された樹脂製の中駒６によって支持され、この中駒６は、前軸２ａに対して回転しないように連結されると共に、後軸２ｂに対して回転するように連結されている。
【００１４】
さらに、中駒６には、各リフィール４ａ，４ｂが差し込まれる３個の挿入孔６ａと、各挿入孔６ａから後方に向かって軸線Ｌの延在方向に延びるガイド溝６ｂとが形成されている。各ガイド溝６ｂ内では、各リフィール４ａ，４ｂの後端に固定されたスライド駒７が摺動する。そして、各ガイド溝６ｂ内には、リフィール４ａ，４ｂに巻回された圧縮バネ８が装填され、圧縮バネ８の一端は中駒６によって支持され、圧縮バネ８の他端はスライド駒７によって支持されている。
【００１５】
さらに、中駒６の後端には、筒状の駆動カム９を回転自在に支持する支軸部６ｃが形成されている。支軸部６ｃを中心に後軸２ｂと一緒に回転する駆動カム９は、内側で支軸部６ｃに回転自在に連結される円筒状の基部１０と、この基部１０の後端から突出して消しゴム１３が装填されると共に、キャップ５を保持する消しゴム収容部１１と、基部１０の前端から軸筒２の先端側に向けて突出するカム本体部１２とからなる。このカム本体部１２は、基部１０の端から爪状に突出すると共に、円筒を斜めに切断した形状をなし、カム本体部１２の輪郭に沿って山形のカム面１２ａが形成されている。
【００１６】
これに対して、圧縮バネ８の付勢力によって駆動カム９の従動部材として機能する各スライド駒７は、ガイド溝６ｂ内を摺動する摺動部１５と、摺動部１５から突出してリフィール４ａ，４ｂの後端に差し込まれるピン状のリフィール装填部１６と、摺動部１５に一体に形成されると共に、三角形状をなす従動部１７とからなる。従動部１７には、駆動カム９のカム面１２ａに沿って摺動するＶ字状の従動面１７ａが形成され、三角形状のカム本体部１２の先端には、従動部１７の頂部が入り込んで従動部１７を係止させるための凹部が形成されている。従って、後軸２ｂと一緒に駆動カム９が回転すると、カム本体部１２の凹部内にスライド駒７の頂部の何れかが選択的に入り込むので、後軸２ｂの回転によって、リフィール４ａ，４ｂの先端の何れかを軸筒２の先端から突出させることができる。
【００１７】
このような回転式多芯筆記具１には、前軸２ａと中駒６とを一緒に回転させるために、樹脂製の前軸２ａの後端側(外筒部)２０と樹脂製の中駒６の前端側(内筒部)３０とをワッタッチで連結させるための連結構造Ａが採用されている。
【００１８】
図２に示すように、連結構造Ａにおいて、外筒部２０の内壁面２０ａには、軸線Ｌの延在方向に延びる第１の凸状リブ２１と、第１の凸状リブ２１と外筒部２０の後端２０ｂ側の開口２０ｃとの間に形成された第１の係止凸部２２とが設けられ、内筒部３０の外壁面３０ａには、内筒部３０の先端３０ｂから軸線Ｌの延在方向に延びて第１の凸状リブ２１と嵌合する第１の凹溝３１と、第１の係止凸部２２に対して乗り越え嵌合する第２の係止凸部３２とが設けられ、内筒部３０の後端には、外筒部２０の後端２０ｂに当接可能なリング状のストッパ部３３が設けられている。
【００１９】
図３に示すように、外筒部２０の内壁面２０ａに設けられた２個の第１の凸状リブ２１と１個の第２の凹溝２３は、外筒部２０の内壁面２０ａの周方向で略等角度に配置され、第２の凹溝２３は、内壁面２０ａに設けられた平坦面２０ｄの略中央に形成されている。また、第１の凸状リブ２１は、断面台形状をなし、第２の凹溝２３は、断面矩形をなしている。
【００２０】
図４に示すように、内筒部３０の外壁面３０ａに設けられた２個の第１の凹溝３１と１個の第２の凸状リブ３４は、内筒部３０の外壁面３０ａの周方向で略等角度に配置され、第２の凸状リブ３４は、外壁面３０ａに設けられた平坦面３０ｄの略中央に形成されている。また、第１の凹溝３１は、断面台形状をなし、第２の凸状リブ３４は、断面矩形をなしている。
【００２１】
そして、外筒部２０と内筒部３０とを連結させる際に、外筒部２０の２個の第１の凸状リブ２１と内筒部３０の２個の第１の凹溝３１とが互いに嵌り込み、外筒部２０の１個の第２の凹溝２３と内筒部３０の１個の第２の凸状リブ３４とが互いに嵌り込む。これによって、外筒部２０に対する内筒部３０の回り止めが達成され、外筒部２０と内筒部３０とを一緒に回転させることができる。
【００２２】
図５に示すように、外筒部２０の内壁面２０ａに設けられた第１の係止凸部２２は、内壁面２０ａの周方向で略等角度に配置され、山形状に内壁面２０ａから突出している。これに対し、内筒部３０の外壁面３０ａには、第１の係止凸部２２に対して乗り越え嵌合するリング状の第２の係止凸部３２が設けられている(図２参照)。
【００２３】
外筒部２０側の第１の係止凸部２２の突出量は、内筒部３０の外壁面３０ａに各第１の係止凸部２２の頂部が接触する程度が好ましく、内筒部３０側の第２の係止凸部３２の突出量は、外筒部２０の内壁面２０ａに各第２の係止凸部３２の頂部が接触する程度が好ましい。そして、第１及び第２の係止凸部２２，３２の弾性変形により、確実な乗り越え嵌合が行われる。
【００２４】
また、内筒部３０の後端に設けられたストッパ部３３は、乗り越え嵌合の直後において外筒部２０の後端２０ｂに当接する。これにより、外筒部２０に対する内筒部３０の抜け止めが達成されているが、強い力によって内筒部３０を引っ張ることで、外筒部２０から内筒部３０を外すこともできる。このような着脱は、リフィール４ａ，４ｂの交換時に利用される。
【００２５】
外筒部２０に内筒部３０を組み付けるにあたって、図６に示すように、外筒部２０の開口２０ｃから矢印Ｂ(図２参照)の方向に差し込まれた内筒部３０の先端３０ｂは、第１の係止凸部２２を越えて第１の凸状リブ２１の端面２１ａに当接させられる。その後、内筒部３０を回しながら、２個の第１の凸状リブ２１と内筒部３０の２個の第１の凹溝３１との位置合わせと、１個の第２の凹溝２３と内筒部３０の１個の第２の凸状リブ３４との位置合わせとを行って、位置合わせ完了後に内筒部３０を軽い力で押し込む。なお、平坦面２０ｄ，３０ｄも確実な位置合わせとの一助をなしている。
【００２６】
その後、図７に示すように、第１の係止凸部２２と第２の係止凸部３２とが当接する。この状態で、内筒部３０を強く押し込むと、第１及び第２の係止凸部２２，３２の弾性変形により、第２の係止凸部３２が第１の係止凸部２２を乗り越えるように移動する。この乗り越え嵌合の直後において、図８に示すように、ストッパ部３３は外筒部２０の後端２０ｂに当接する。このような作業によって、外筒部２０に対する内筒部３０の回り止めと抜け止めが達成される。
【００２７】
このような組立てが行われる筆記具１において、第１の係止凸部２２が第１の凸状リブ２１と開口２０ｃとの間に配置されているので、第１の凸状リブ２１と開口２０ｃとの間の差込み空間Ｓ(図２参照)の長さを長くすることができ、これによって、内筒部３０を外筒部２０内で回す際の安定性や作業のし易さが担保される。さらに、第１の係止凸部２２が外筒部２０の開口２０ｃの近くに配置されるので、第１の係止凸部２２の寸法検査を容易かつ確実に行うことができ、寸法管理が確実になされる結果として、筆記具１の使用時に外筒部２０から内筒部３０が不用意に脱落するような事態が発生しない。
【００２８】
ここで、寸法管理について説明する。第１の係止凸部２２が形成された位置での内接円Ｒ２(図５参照)の直径は、第１の凸状リブ２１が形成された位置での内接円Ｒ１(図３参照)の直径より大きくなっている。これにより、開口２０ｃからピンゲージを差し込んで、各内接円Ｒ１，Ｒ２を計測することができる。従って、計測容易なピンゲージを利用することができるので、第１の係止凸部２２及び第１の凸状リブ２１の寸法検査を容易かつ確実に行うことができ、寸法管理が確実になされる結果として、外筒部２０に対する内筒部３０のガタの無い回り止めと抜け止めが達成される。
【００２９】
また、内筒部３０の肉厚の関係上、第１の凹溝３１の深さを大きくすることができず、これに伴って外筒部２０の第１の凸状リブ２１の突出量を大きくすることができない。このような状況下では、第１の凸状リブ２１を押し潰すように、作業者が無理に内筒部３０を外筒部２０内に押し込む事態が起こりうる。そこで、第１の凸状リブ２１が押し潰され難くするために、第１の凸状リブ２１及び第１の凹溝３１を複数個(本実施形態では２個)形成している。さらに、外筒部２０に対しては第２の凹溝２３を、内筒部３０に対しては第２の凸状リブ３４を別途形成することで、第１の凸状リブ２１と第２の凹溝２３とを周方向に均等に配置させることができ、第２の凸状リブ３４と第２の凹溝２３とを周方向に均等に配置させることができる。
【００３０】
なお、内筒部３０において、ストッパ部３３と第２の係止凸部３２との間には、外壁面３ａから突出するガタ付き防止リブ３５が周方向に３個設けられている。このガタツキ防止リブ３５によって、外筒部２０内に内筒部３０を挿入して組み付ける時及び組み付け後に、内筒部３０のガタ付きが確実に防止される。
【００３１】
本発明は、前述した実施形態に限定されないことは言うまでもない。例えば、図９に示すように、外筒部４０には、この先端４０ａから軸線Ｌの延在方向に延びるスリット４１が形成され、内筒部５０の外壁面には、スリット４１内に差し込まれるガイドリブ５１が形成されている。従って、スリット４１とガイドリブ５１とを目視によって位置合わせすることで、２個の第１の凸状リブ２１と内筒部３０の２個の第１の凹溝３１との位置合わせと、１個の第２の凹溝２３と内筒部３０の１個の第２の凸状リブ３４との位置合わせとが、作業者の勘に頼らずに達成され、作業性の向上を図ることができる。
【００３２】
また、連結構造Ａは、前軸２ａと中駒６との連結に限らず、前軸２ａと後軸２ｂとの連結に利用してもよい。また、第１及び第２の凸状リブ２１，３４、第１及び第２の係止凸部２２，３２、第１及び第２の凹溝３１，２３の個数は、上記実施形態に限定されない。
【図面の簡単な説明】
【００３３】
【図１】本発明に係る筆記具の一実施形態を示す断面図である。
【図２】図１の筆記具に適用する前軸と中駒とを示す側面図である。
【図３】図２のIII−III線に沿う断面図である。
【図４】図２のIＶ−IＶ線に沿う断面図である。
【図５】図２のＶ−Ｖ線に沿う断面図である。
【図６】前軸に対する中駒の位置会わせ中の状態を示す断面図である。
【図７】前軸の第１の係止凸部と中軸の第２の係止凸部とが当接した状態を示す断面図である。
【図８】前軸に対する中駒の組み付け後の状態を示す断面図である。
【図９】本発明に係る筆記具の他の実施形態を示す断面図である。
【符号の説明】
【００３４】
１…筆記具、２ａ…前軸、６…中駒、２０，４０…外筒部、２０ａ…外筒部の内壁面、２０ｂ…外筒部の後端、２０ｃ…外筒部の開口、２０ｄ，３０ｄ…平坦面、２１…第１の凸状リブ、２１ａ…第１の凸状リブの端面、２２…第１の係止凸部、２３…第２の凹溝、３０，５０…内筒部、３０ａ…内筒部の外壁面、３０ｂ…内筒部の先端、３１…第１の凹溝、３２…第２の係止凸部、３４…第２の凸状リブ、４０ａ…外筒部の先端、４１…スリット、５１…ガイドリブ、Ａ…連結構造、Ｂ…差し込み方向、Ｌ…軸線。
【図１】
0005501569.tif 000002
【図２】
0005501569.tif 000003
【図３】
0005501569.tif 000004
【図４】
0005501569.tif 000005
【図５】
0005501569.tif 000006
【図６】
0005501569.tif 000007
【図７】
0005501569.tif 000008
【図８】
0005501569.tif 000009
【図９】
0005501569.tif 000010